(57)【要約】【課題】搭載機器の設置作業や保守作業の効率を上げるスプライスユニットのスライド構造を提供することを目的としている。【解決手段】可動シャーシ５の動作範囲を抑制するためのシャーシ押さえ９を固定シャーシ３に設け、スライドレール４には、固定シャーシ３からユニット２が引き出し可能であるようにシャーシ押さえ９に取り付けるための長穴形状の第一のスライド穴６と、可動シャーシに取り付けるための第二のスライド穴７とを設け、ユニット２が前面に引き出し可能であるように取り付けられることを特徴とする。【選択図】図１
2008225318.tif 000002
【特許請求の範囲】
【請求項１】
可動シャーシは固定シャーシにスライドレールを介して取り付けられ、可動シャーシを動作させることで引き出し可能としたユニットに光配線器具を載置して構成されるスプライスユニットのスライド構造であって、前記可動シャーシの動作範囲を抑制するためのシャーシ押さえを前記固定シャーシに設け、前記スライドレールには、前記固定シャーシから前記ユニットが引き出し可能であるように前記シャーシ押さえに取り付けるための長穴形状の第一のスライド穴と、前記可動シャーシに取り付けるための第二のスライド穴とを設け、前記ユニットが前面に引き出し可能であるように取り付けられることを特徴とするスプライスユニットのスライド構造。
【請求項２】
前記スプライスユニットのスライド構造であって、前記スライドレールに設けられた第一のスライド穴に対向する長穴を長辺に対して傾斜を付けて設けた制御板を前記スライドレールに組み付けて用いると共に、前記スライドレールに設けた第二のスライド穴の前面側端部に鍵穴を設け、前記ユニットの動作により前記制御板が水平になったり傾斜したりし、前記ユニットが収納されている場合には、前記鍵穴は前記制御板により被覆されるため、前記ユニットが前傾しないが、前記ユニットを引き出した場合に前記鍵穴が露出して該鍵穴に前記ユニットが係止し、前記ユニットが前傾可能となることを特徴とする請求項１に記載のスプライスユニットのスライド構造。
【発明の詳細な説明】
【技術分野】
【０００１】
本発明は、可動シャーシは固定シャーシにスライドレールを介して取り付けられ、可動シャーシを動作させることで引き出し可能としたユニットに光配線器具を載置して構成されるスプライスユニットのスライド構造に関するものである。
【背景技術】
【０００２】
従来は、固定シャーシ３１に可動シャーシ３２を差し込んでスライドさせてスプライスユニット３３を開閉していた。固定シャーシ３１の前面端部にシャーシ押さえ３４を設け、可動シャーシ３２を引き出したときにシャーシ押さえ３４に当たり、可動シャーシ３２が固定シャーシ３１から抜け落ちないようにするというように、可動シャーシ３２の動作を規制していた。そのため、ユニット３３の引き出し寸法は、シャーシの奥行き寸法分までに限定されていた。
【非特許文献１】カワムララックカタログＮｏ．１０  ２００６年６月１日発行
【発明の開示】
【発明が解決しようとする課題】
【０００３】
しかしながら、上記従来のスライド構造では、ユニットの引き出し寸法が限定されるため、ユニット設置後に保守作業等際には、その限定された小さなスペースで作業しなくてはならなかったため、作業の効率が悪かった。
【０００４】
また、作業の効率を上げるため、ユニットを前傾させる構造も用いられていたが、この場合、ユニットを引き出す途中でユニットが前傾してしまうことがあり、そうすると、他の搭載物と干渉して引っ掛かり、ユニットの引き出し動作に支障が起こっていた。
【課題を解決するための手段】
【０００５】
そこで本発明は、搭載機器の設置作業や保守作業の効率を上げるスプライスユニットのスライド構造を提供することを目的とし、その構造は、可動シャーシの動作範囲を抑制するためのシャーシ押さえを固定シャーシに設け、スライドレールには、固定シャーシからユニットが引き出し可能であるようにシャーシ押さえに取り付けるための長穴形状の第一のスライド穴と、可動シャーシに取り付けるための第二のスライド穴とを設け、ユニットが前面に引き出し可能であるように取り付けられることを特徴とする。
【０００６】
また、スライドレールに設けられた第一のスライド穴に対向する長穴を長辺に対して傾斜を付けて設けた制御板を前記スライドレールに組み付けて用いると共に、スライドレールに設けた第二のスライド穴の前面側端部に鍵穴を設け、ユニットの動作により制御板が水平になったり傾斜したりし、ユニットが収納されている場合には、鍵穴は制御板により被覆されるため、ユニットが前傾しないが、ユニットを引き出した場合に鍵穴が露出して鍵穴にユニットが係止し、ユニットが前傾可能となることを特徴とする。
【発明の効果】
【０００７】
本発明に係るスプライスユニットのスライド構造は、可動シャーシの動作範囲を抑制するためのシャーシ押さえを固定シャーシに設け、スライドレールには、固定シャーシからユニットが引き出し可能であるようにシャーシ押さえに取り付けるための長穴形状の第一のスライド穴と、可動シャーシに取り付けるための第二のスライド穴とを設け、ユニットが前面に引き出し可能であるように取り付けられるため、可動シャーシは固定シャーシからスライドレールの寸法分引き出すことができ、作業の際には広くスペースを確保することができ、作業の効率を上げることができる。
【０００８】
また、スライドレールに設けられた第一のスライド穴に対向する長穴を長辺に対して傾斜を付けて設けた制御板を前記スライドレールに組み付けて用いると共に、スライドレールに設けた第二のスライド穴の前面側端部に鍵穴を設け、ユニットの動作により制御板が水平になったり傾斜したりし、ユニットが収納されている場合には、鍵穴は制御板により被覆されるため、ユニットが前傾しないが、ユニットを引き出した場合に鍵穴が露出して鍵穴にユニットが係止し、ユニットが前傾可能となるため、他の搭載機器に干渉することなく、スプライスユニットをスライドすることが可能となり作業の効率を上げることができる。
【発明を実施するための最良の形態】
【０００９】
本発明に係るスプライスユニットのスライド構造の実施例を図１〜図４の添付図面に基づいて説明する。
【００１０】
光配線器具をケース１に収納してユニット２を構成し、このユニット２をキャビネットに手前にスライド動作により引き出し可能に収めて用いられる。
【００１１】
固定シャーシ３をキャビネットに取り付け、固定シャーシ３にはスライドレール４を介して可動シャーシ５を取り付ける。スライドレール４には、固定シャーシ３にスライドレール４を取り付けるための第一のスライド穴６と、スライドレール４に可動シャーシ５を取り付けるための第二のスライド穴７とを、長辺に対して平行に長穴形状に設ける。スライドレール４は可動シャーシ５の動作を制御できるように箱状に折曲部８を設ける。
【００１２】
固定シャーシ３には、ユニット２を手前に引き出したときスライドレール４が抜け外れないようにするためのシャーシ押さえ９が取り付けられる。固定シャーシ３には、シャーシ押さえ９に設けられている取り付け穴１０と、スライドレール４に設けられている第一のスライド穴６に座付きビス１１を挿通してスライドレール４を取り付けている。さらに、スライドレール４には第二のスライド穴７を用いて可動シャーシ５が取り付けられる。ユニット２を引き出すとまずは、可動シャーシ５がスライドレール４の第二のスライド穴７の長さ寸法分スライド移動する。また、ユニット２が第二のスライド穴７の先端まで来たところで、今度はスライドレール４が固定シャーシ３から引き出される。従来のユニットのスライド構造に比べて、スライドレール４の長さ寸法分手前に引き出すことができることになる。
【００１３】
以上述べた形状のスプライスユニットの作業性をより向上させるために、ユニット２を引き出したときに前傾させ、作業スペースに角度を付けることができる。可動シャーシ５をスライドレール４に接合している第二のスライド穴７の手前側先端には、鍵穴１２を設ける。ユニット２を最大限手前に引き出したとき、スライドレール４を可動シャーシ５に留めている座付きビス１１が鍵穴１２にはまり、ユニット２が前傾した状態で保持される。
【００１４】
スライドレール４には、制御板１３を組み込んで、可動シャーシ５のスライドレール４上での動作を制御する。制御板１３はスライドレール４の折曲部８に収めると、スライドレール４の動作に連動する。制御板１３には長辺に対して平行でなく、手前側が高くなるように傾斜させて長穴１４を設ける。長穴１４はスライドレール４の第一のスライド穴６に対向させて組み付ける。ユニット２をキャビネットの奥まで収めた状態またはユニット２をユニット２の長さ寸法分手前に引き出した状態では、制御板１３の手前側で可動シャーシ５が結合し、制御板１３はスライドレール４の中で最低の位置にあり、その状態では第二のスライド穴７に設けられている鍵穴１２は制御板１３に被覆されている。つまり、座付きビス１１が鍵穴１２に嵌合せず、可動シャーシ５は水平に保持された状態となる。スライドレール４を手前に引き出していくと、傾斜している長穴１４に沿って制御板１３がせり上がり、最終的には鍵穴１２が露出する。露出した鍵穴１２に座付きビス１１が嵌合しユニット２を前傾させる。
【００１５】
可動シャーシ５を完全に手前に引き出した状態でないと、鍵穴１２が露出しないためユニット２は前傾しない。可動シャーシ５を引き出している間にユニット２が前傾しないので他の搭載機器に当たったりすることを防止できる構造である。
【産業上の利用可能性】
【００１６】
スプライスユニットを手前に大きく引き出すことができるので、小さいスペースで多くの機器を載置した場合でも、作業スペースをキャビネットの前面に確保することができる。
【図面の簡単な説明】
【００１７】
【図１】本発明に係るスプライスユニットの引き出し構造を示す説明図である。
【図２】図１における可動シャーシとスライドレールの取り付け方を示す説明図である。
【図３】本発明に係るスプライスユニットのシャーシ押さえ、スライドレール、制御板の取り付け方を示す説明図である。
【図４】本発明に係るスプライスユニットのスライド構造の動作を示す説明図である。
【図５】従来のスプライスユニットのスライド構造を示す説明図である。
【符号の説明】
【００１８】
１    ケース
２    ユニット
３    固定シャーシ
４    スライドレール
５    可動シャーシ
６    第一のスライド穴
７    第二のスライド穴
８    折曲部
９    シャーシ押さえ
１０  取り付け穴
１１  座付きビス
１２  鍵穴
１３  制御板
１４  長穴
【図１】
2008225318.tif 000003
【図２】
2008225318.tif 000004
【図３】
2008225318.tif 000005
【図４】
2008225318.tif 000006
【図５】
2008225318.tif 000007